(57)【要約】【課題】画像読取部による適切な画像の読み取りと、装置の大型化の回避と、の双方に考慮された画像読取装置を提供する。【解決手段】用紙Ｐの第１面を読み取る第１読取部２２と、第２面を読み取る第２読取部３２を備えるスキャナー１において、制御部１９は、搬送される用紙Ｐの先端が、第２読取部３２の第２下流側光源３４から出る光が第１読取領域Ａ１に入るのを遮ることができる第１位置Ｂ１に搬送されるまで、第２下流側光源３４から照射される光量を、第２読取部３２による読み取り時の光量よりも抑制し、用紙Ｐの先端が第１位置Ｂ１を越えたら、第２下流側光源３４から照射される光量を第２読取部３２による読み取り時の光量にする。【選択図】図３
2019102859.tif 000002
【特許請求の範囲】
【請求項１】
媒体が搬送される搬送経路と、
光透過性を有し、前記搬送経路の一方側の経路面を形成する第１透過板と、
光透過性を有し、前記搬送経路において前記第１透過板と対向する他方側の経路面を形成する第２透過板と、
前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、
前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、
前記第１上流側光源、前記第１下流側光源、前記第２上流側光源、及び前記第２下流側光源から照射される光量を制御する制御部と、を備え、
前記第１透過板及び前記第２透過板は、媒体搬送方向において、前記第１読取部と前記第２読取部の双方と重なる位置に設けられ、
前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２下流側光源から照射される光量を、前記第２読取部による読み取り時の光量よりも抑制し、前記媒体の先端が前記第１位置を越えたら、前記第２下流側光源から照射される光量を前記第２読取部による読み取り時の光量にする、
ことを特徴とする画像読取装置。
【請求項２】
請求項１に記載の画像読取装置において、
前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１上流側光源から照射される光量を、前記第１読取部による読み取り時の光量よりも抑制する、
ことを特徴とする画像読取装置。
【請求項３】
媒体が搬送される搬送経路と、
光透過性を有し、前記搬送経路の一方側の経路面を形成する第１透過板と、
光透過性を有し、前記搬送経路において前記第１透過板と対向する他方側の経路面を形成する第２透過板と、
前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、
前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、
前記第１透過板及び前記第２透過板は、媒体搬送方向において、前記第１読取部と前記第２読取部の双方と重なる位置に設けられ、
前記第１上流側光源から前記第１読取領域に照射される光を遮蔽する遮蔽状態と、前記第１上流側光源から照射される光が前記第１読取領域に届く開放状態と、を切り替え可能な第１シャッター部と、
前記第２下流側光源から前記第２読取領域に照射される光を遮蔽する遮蔽状態と、前記第２下流側光源から照射される光が前記第２読取領域に届く開放状態と、を切り替え可能な第２シャッター部と、
前記第１シャッター部及び前記第２シャッター部の前記遮蔽状態と前記開放状態との切り替えを制御する制御部と、を備え、
前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２シャッター部を前記遮蔽状態にして、前記媒体の先端が前記第１位置を越えたら、前記第２シャッター部を前記開放状態にする、
ことを特徴とする画像読取装置。
【請求項４】
請求項３に記載の画像読取装置において、
前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１シャッター部を前記遮蔽状態にする、
ことを特徴とする画像読取装置。
【請求項５】
媒体が搬送される搬送経路と、
光透過性を有し、前記搬送経路の一方側の経路面を形成する第１透過板と、
光透過性を有し、前記搬送経路において前記第１透過板と対向する他方側の経路面を形成する第２透過板と、
前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、
前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、を備え、
前記第１透過板及び前記第２透過板は、媒体搬送方向において、前記第１読取部と前記第２読取部の双方と重なる位置に設けられ、
前記第１透過板は、前記第２下流側光源から照射される光の反射を抑制する第１反射抑制部を備え、
前記第２透過板は、前記第１上流側光源から照射される光の反射を抑制する第２反射抑制部を備える、
ことを特徴とする画像読取装置。
【請求項６】
請求項５に記載の画像読取装置において、
前記第１反射抑制部または前記第２反射抑制部は、前記第１透過板または前記第２透過板を二枚の透過板を前記媒体搬送方向に並べて繋いで形成した場合の継ぎ目である、
ことを特徴とする画像読取装置。
【請求項７】
請求項６に記載の画像読取装置において、前記継ぎ目に光の透過を抑制する遮蔽板が挟まれている、
ことを特徴とする画像読取装置。
【請求項８】
請求項６に記載の画像読取装置において、前記継ぎ目に光透過性を低減する塗料が塗布されている、
ことを特徴とする画像読取装置。
【請求項９】
請求項６に記載の画像読取装置において、
前記第１透過板または前記第２透過板を構成する二枚の透過板の屈折率はそれぞれ異なる、
ことを特徴とする画像読取装置。
【請求項１０】
請求項５に記載の画像読取装置において、
前記第１反射抑制部または前記第２反射抑制部は、前記第１透過板または前記第２透過板にレーザー彫刻により形成されている、
ことを特徴とする画像読取装置。
【請求項１１】
請求項６から請求項９のいずれか一項において、
前記継ぎ目は、前記媒体搬送方向と交差する幅方向に沿って見た場合に、前記第１透過板または前記第２透過板の面に対して傾斜している、
ことを特徴とする画像読取装置。
【発明の詳細な説明】
【技術分野】
【０００１】
本発明は、原稿の画像を読み取る画像読取装置に関する。
【背景技術】
【０００２】
画像読取装置の一例であるスキャナーには、原稿を読取部に向けて送る自動送り装置（ＡＤＦ（Auto Document Feeder）とも呼ばれる）が設けられ、複数枚の原稿の自動送りと読み込みとを行える様に構成されるものがある。  
また、この様なスキャナーにおいて、一度の搬送で原稿の両面を読み取るため、搬送経路を構成する経路面の一方側に設けられる第１の読取部と、前記経路面の他方側に設けられる第２の読取部と、を設ける場合がある（例えば、特許文献１）。  
前記読取部としては、原稿に光を照射して反射光を読み取るＣＩＳ方式（密着型イメージセンサー）や縮小光学方式（ＣＣＤイメージセンサー）等のものが用いられる。
【０００３】
ところで、前記第１の読取部と前記第２の読取部とが完全に対向して設けられていると、一方の読取部の光源から発せられる光が、他方の読取部による画像の読み取りに影響を及ぼす虞がある。このため、前記第１の読取部と前記第２の読取部とは、原稿の搬送方向において少しずらして配置される。
【０００４】
前記第１の読取部と前記第２の読取部とを、前記搬送方向において離れた位置に設ければ、一方の読取部の光源の光による他方の読取部における読み取りへの影響は少なくなるが、搬送経路長が長くなり、装置が大型化する。  
したがって、前記第１の読取部と前記第２の読取部とを前記搬送方向においてずらしつつ、できるだけ近い位置に設けることが望ましい。
【０００５】
しかし、一方の読取部の光源から発せられる光は、他方の読取部側の経路面（通常、ガラス等の光が透過可能な材料で形成される）に反射するため、この反射光の影響も考慮すると、前記第１の読取部と前記第２の読取部とを近づけるのには限度がある。
【０００６】
これらの問題を回避するため、特許文献１においては、前記第１の読取部と前記第２の読取部とが、前記搬送方向においてずれて配置されるとともに、前記第１の読取部の光源と、前記第２の読取部の光源は、それぞれ、画像読み取りを開始する直前に点灯され、且つ画像読み取りを停止した直後に消灯するように制御されている。  
このことにより、前記第１の読取部と前記第２の読取部とを近くに配置しつつ、一方側の読取部光源の光が、他方側の読取部による読み取りに影響する虞を抑制している。
【先行技術文献】
【特許文献】
【０００７】
【特許文献１】特開２００２−１１１９７７号公報
【発明の概要】
【発明が解決しようとする課題】
【０００８】
ここで、前記光源は、非点灯状態から点灯状態にした場合に、点灯後の所定の期間、光量が安定しない場合がある。  
特許文献１のように、前記読取部の光源を画像読み取り開始の直前に点灯すると、前記光源の光量が安定しない期間における読取精度が低下する虞がある。
【０００９】
上記問題点に鑑み、本発明の目的は、前記読取部による適切な画像の読み取りと、装置の大型化の回避と、の双方に考慮された画像読取装置を提供することにある。
【課題を解決するための手段】
【００１０】
上記課題を解決するため、本発明の第１の態様に係る画像読取装置は、媒体が搬送される搬送経路と、光透過性を有し、前記搬送経路の一方側の経路面を形成する第１透過板と、光透過性を有し、前記搬送経路において前記第１透過板と対向する他方側の経路面を形成する第２透過板と、前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、前記第１上流側光源、前記第１下流側光源、前記第２上流側光源、及び前記第２下流側光源から照射される光量を制御する制御部と、を備え、前記第１透過板及び前記第２透過板は、媒体搬送方向において、前記第１読取部と前記第２読取部の双方と重なる位置に設けられ、前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２下流側光源から照射される光量を、前記第２読取部による読み取り時の光量よりも抑制し、前記媒体の先端が前記第１位置を越えたら、前記第２下流側光源から照射される光量を前記第２読取部による読み取り時の光量にする、ことを特徴とする。
【００１１】
本明細書において、「光量を抑制する」とは、光量がゼロ、すなわち、消灯される場合も含むものとする。また、「光源から出る光」は、光源から照射される照射光の他、前記照射光が反射した反射光も含まれ、前記照射光、または前記反射光のいずれでもよい。  
本態様によれば、前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２下流側光源から照射される光量を、前記第２読取部による読み取り時の光量よりも抑制するので、前記第２下流側光源から発せられる光が、第１読取部による読み取りに影響する虞を低減できる。
【００１２】
また、前記光量を抑制して弱めた状態から光を強くすると、少しの間、光量が不安定になる場合があるが、本態様においては、前記第２読取部において２つある光源（第２上流側光源と第２下流側光源）のうち、前記第１読取部による読み取りに影響し易い一方（前記第２下流側光源）のみの光量を抑制するので、光を強くした直後に光量が不安定になる状態が、前記第２読取部による読み取り時に影響する虞を低減できる。
【００１３】
本発明の第２の態様は、第１の態様において、前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１上流側光源から照射される光量を、前記第１読取部による読み取り時の光量よりも抑制する、ことを特徴とする。
【００１４】
本態様によれば、前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１上流側光源から照射される光量を、前記第１読取部による読み取り時の光量よりも抑制するので、前記第１上流側光源から発せられる光が、第２読取部による読取に影響する虞を低減できる。
【００１５】
本発明の第３の態様に係る画像読取装置は、媒体が搬送される搬送経路と、光透過性を有し、前記搬送経路の一方側の経路面を形成する第１透過板と、光透過性を有し、前記搬送経路において前記第１透過板と対向する他方側の経路面を形成する第２透過板と、前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、を備え、前記第１透過板及び前記第２透過板は、媒体搬送方向において、前記第１読取部と前記第２読取部の双方と重なる位置に設けられ、前記第１上流側光源から前記第１読取領域に照射される光を遮蔽する遮蔽状態と、前記第１上流側光源から照射される光が前記第１読取領域に届く開放状態と、を切り替え可能な第１シャッター部と、前記第２下流側光源から前記第２読取領域に照射される光を遮蔽する遮蔽状態と、前記第２下流側光源から照射される光が前記第２読取領域に届く開放状態と、を切り替え可能な第２シャッター部と、前記第１シャッター部及び前記第２シャッター部の前記遮蔽状態と前記開放状態との切り替えを制御する制御部と、を備え、前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２シャッター部を前記遮蔽状態にして、前記媒体の先端が前記第１位置を越えたら、前記第２シャッター部を前記開放状態にする、ことを特徴とする。
【００１６】
本態様によれば、前記制御部は、前記第２読取領域よりも媒体搬送方向上流側において、搬送される前記媒体の先端が、前記第２下流側光源から出る光が前記第１読取領域に入るのを遮ることができる第１位置に搬送されるまで、前記第２シャッター部を前記遮蔽状態にして、前記媒体の先端が前記第１位置を越えたら、前記第２シャッター部を前記開放状態にするので、前記第２下流側光源から発せられる光が、第１読取部による読取に影響する虞を低減できる。  
また、光源からの光量を抑制した後に光量を抑制前の状態に戻すと、戻してからしばらくの間、光量が安定しない場合があるが、本態様においては光量を抑制する必要がないので、光源から照射される光量が不安定になる虞を低減できる。
【００１７】
本発明の第４の態様は、第３の態様において、前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１シャッター部を前記遮蔽状態にする、ことを特徴とする。
【００１８】
本態様によれば、前記制御部は、前記第２読取領域よりも媒体搬送方向上流側において、搬送される前記媒体の後端が、前記第１上流側光源から出る光が前記第２読取領域に入るのを遮ることができる第２位置を越えたら、前記第１シャッター部を前記遮蔽状態にするので、前記第１上流側光源から発せられる光が、第２読取部による読取に影響する虞を低減できる。
【００１９】
本発明の第５の態様に係る画像読取装置は、媒体が搬送される搬送経路と、光透過性を有し、前記搬送経路の一方側の経路面を形成する第１透過板と、光透過性を有し、前記搬送経路において前記第１透過板と対向する他方側の経路面を形成する第２透過板と、前記搬送経路の第１読取領域に向けて媒体搬送方向上流側から光を照射する第１上流側光源と、前記第１読取領域に向けて媒体搬送方向下流側から光を照射する第１下流側光源と、を有し、前記媒体の第１面の画像を、前記第１透過板を介して前記第１読取領域で読み取る第１読取部と、前記搬送経路の前記第１読取領域よりも媒体搬送方向下流側に位置する第２読取領域に向けて、媒体搬送方向上流側から光を照射する第２上流側光源と、前記第２読取領域に向けて媒体搬送方向下流側から光を照射する第２下流側光源と、を有し、前記媒体の前記第１面の反対面である第２面の画像を、前記第２透過板を介して前記第２読取領域で読み取る第２読取部と、を備え、前記第１透過板及び前記第２透過板は、媒体搬送方向において、前記第１読取部と前記第２読取部の双方と重なる位置に設けられ、前記第１透過板は、前記第２下流側光源から照射される光の反射を抑制する第１反射抑制部を備え、前記第２透過板は、前記第１上流側光源から照射される光の反射を抑制する第２反射抑制部を備える、ことを特徴とする。
【００２０】
本態様によれば、前記第１透過板が、前記第２下流側光源から照射される光の反射を抑制する第１反射抑制部を備えるので、前記第２下流側光源から照射される光の反射光が、第１読取部の読み取りに影響する虞を低減できる。  
また、前記第２透過板が、前記第１上流側光源から照射される光の反射を抑制する第２反射抑制部を備えるので、前記第１上流側光源から照射される光の反射光が、第２読取部の読み取りに影響する虞を低減できる。
【００２１】
本発明の第６の態様は、第５の態様において、前記第１反射抑制部または前記第２反射抑制部は、前記第１透過板または前記第２透過板を二枚の透過板を前記媒体搬送方向に並べて繋いで形成した場合の継ぎ目である、ことを特徴とする。  
本態様によれば、前記第１反射抑制部または前記第２反射抑制部を構成簡単に形成できる。
【００２２】
本発明の第７の態様は、第６の態様において、前記継ぎ目に光の透過を抑制する遮蔽板が挟まれている、ことを特徴とする。  
本態様によれば、前記第１反射抑制部または前記第２反射抑制部において、より確実に光の反射を抑制できる。
【００２３】
本発明の第８の態様は、第６の態様において、前記継ぎ目に光透過性を低減する塗料が塗布されている、ことを特徴とする。  
本態様によれば、前記第１反射抑制部または前記第２反射抑制部において、より確実に光の反射を抑制できる。
【００２４】
本発明の第９の態様は、第６の態様において、前記第１透過板または前記第２透過板を構成する二枚の透過板の屈折率はそれぞれ異なる、ことを特徴とする。
【００２５】
本態様によれば、前記第１透過板または前記第２透過板を構成する二枚の透過板の屈折率がそれぞれ異なるので、前記第１反射抑制部或いは前記第２反射抑制部としての前記継ぎ目において、より確実に光の反射を抑制できる。
【００２６】
本発明の第１０の態様は、第５の態様において、前記第１反射抑制部または前記第２反射抑制部は、前記第１透過板または前記第２透過板にレーザー彫刻により形成されている、ことを特徴とする。
【００２７】
本態様によれば、前記第１反射抑制部または前記第２反射抑制部を、前記第１透過板または前記第２透過板にレーザー彫刻により形成するので、透過板を二枚に分割することなく反射抑制部を形成できる。
【００２８】
本発明の第１１の態様は、第６の態様から第９の態様のいずれか一つにおいて、前記継ぎ目は、前記媒体搬送方向と交差する幅方向に沿って見た場合に、前記第１透過板または前記第２透過板の面に対して傾斜している、ことを特徴とする。
【００２９】
本態様によれば、前記第１反射抑制部または前記第２反射抑制部の面積を広くとることができ、より確実に光の反射を抑制できる。
【図面の簡単な説明】
【００３０】
【図１】第１実施形態に係るスキャナーを示す外観斜視図。
【図２】第１実施形態に係るスキャナーにおける用紙搬送経路を示す側断面図。
【図３】第１実施形態に係るスキャナーにおける画像読取部周辺の概略側断面図。
【図４】第１読取部と第２読取部の双方によって用紙が読み取られている状態を示す図。
【図５】用紙の先端が第１読取部の第１読取領域に位置する状態を示す図。
【図６】制御部による光源の光量の制御について説明する図。
【図７】制御部による光源の光量の制御について説明する図。
【図８】用紙の後端が第２読取部の第２読取領域に位置する状態を示す図。
【図９】制御部による光源の光量の制御について説明する図。
【図１０】制御部による光源の光量の制御について説明する図。
【図１１】第２実施形態に係る第１シャッター部及び第２シャッター部の解放状態を示す図。
【図１２】第２実施形態に係る第１シャッター部及び第２シャッター部の遮蔽状態を示す図。
【図１３】制御部による第１シャッター部及び第２シャッター部の制御について説明する図。
【図１４】制御部による第１シャッター部及び第２シャッター部の制御について説明する図。
【図１５】制御部による第１シャッター部及び第２シャッター部の制御について説明する図。
【図１６】制御部による第１シャッター部及び第２シャッター部の制御について説明する図。
【図１７】第３実施形態に係るスキャナーにおける画像読取部周辺の概略側断面図。
【図１８】第３実施形態の変更例１について説明する図。
【図１９】第３実施形態の変更例２について説明する図。
【図２０】第３実施形態の変更例３について説明する図。
【図２１】第４実施形態に係る画像読取部の第１透過板及び第２透過板の概略側面図。
【図２２】第１透過板及び第２透過板の他の例について説明する図。
【発明を実施するための形態】
【００３１】
［第１実施形態］
まず、本発明の一実施形態に係る画像読取装置の概略について説明する。  
本実施形態では画像読取装置の一例として、「媒体」としての用紙の表面及び裏面の少なくとも一面を読み取り可能なドキュメントスキャナー（以下、単にスキャナー１と称する）を例に挙げる。
【００３２】
図１は、第１実施形態に係るスキャナーを示す外観斜視図である。図２は、第１実施形態に係るスキャナーにおける用紙搬送経路を示す側断面図である。図３は、第１実施形態に係るスキャナーにおける画像読取部周辺の概略側断面図である。図４は、第１読取部と第２読取部の双方によって用紙が読み取られている状態を示す図である。図５は、用紙の先端が第１読取部の第１読取領域に位置する状態を示す図である。図６は、制御部による光源の光量の制御について説明する図である。図７は、制御部による光源の光量の制御について説明する図である。図８は、用紙の後端が第２読取部の第２読取領域に位置する状態を示す図である。図９は、制御部による光源の光量の制御について説明する図である。図１０は、制御部による光源の光量の制御について説明する図である。
【００３３】
各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３４】
■■■スキャナーの概要■■■
以下、主として図１及び図２を参照して、本発明に係るスキャナー１について説明する。  
図１に示すスキャナー１は、用紙Ｐ（媒体）の画像を読み取る画像読取部１０（図２）を内部に備える装置本体２を備えている。  
装置本体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、用紙Ｐの用紙搬送経路を露呈させて用紙Ｐの紙詰まりの処理を容易に行うことができる様に構成されている。
【００３５】
装置本体２の装置背面側（−Ｙ軸方向側）には、用紙Ｐを載置する媒体載置部１１が設けられている。媒体載置部１１には複数枚の用紙Ｐを重ねた用紙束を載置することができる。また、複数枚の用紙が冊子状になった冊子体を原稿として載置することも可能である。符号１１ａは、用紙Ｐの載置面１１ａである。  
尚、媒体載置部１１は、装置本体２に対して着脱可能に設けられている。
【００３６】
また、媒体載置部１１には、用紙Ｐの給送方向（Ｙ軸方向）と交差する幅方向（Ｘ軸方向）の側縁をガイドするガイド面１３を備える左右一対のエッジガイド１２、１２が設けられている。  
エッジガイド１２、１２は、用紙Ｐのサイズに応じてＸ軸方向にスライド移動可能に設けられている。本実施形態において、エッジガイド１２、１２は、公知のラックピニオン機構により一方のエッジガイド１２（例えば＋Ｘ側）のＸ移動に追従して、他方のエッジガイド１２（−Ｘ側）が相対する方向に移動するように構成されている。  
すなわち、媒体載置部１１において、用紙Ｐは幅方向の中央に揃えられ、後述する給送ローラー１４は前記幅方向の中央領域に設けられ、所謂、センター給紙方式で給紙されるように構成されている。
【００３７】
媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。
【００３８】
図１に示すように、上部ユニット４の装置前面側には、各種読み取り設定や読み取り実行の操作や、読み取り設定内容等を表示する操作パネル７が設けられている。  
上部ユニット４の上部には装置本体２内部に連なる給送口６が設けられており、媒体載置部１１に載置される用紙Ｐは、給送口６から装置本体２内部に設けられる画像読取部１０（図２）に向けて送られる。  
また、下部ユニット３の装置前面側には、後述する排紙トレイ５が設けられている。
【００３９】
■■■スキャナーにおける用紙の搬送経路について■■■
次に、図２及び図３を参照して、スキャナー１における用紙搬送経路について説明する。尚、図２において符号Ｓで示す点線は用紙Ｐ（図１）が搬送される搬送経路を示している。搬送経路Ｓは、図３に示すように、下部ユニット３側の経路面Ｓ２と、上部ユニット４側の経路面Ｓ１と、によって挟まれる空間である。  
図２に示すスキャナー１において、用紙Ｐは媒体載置部１１から、後述する給送ローラー１４によって画像読取部１０に向けて送られる。
【００４０】
スキャナー１は、用紙Ｐを給送する給送ローラー１４と、給送ローラー１４との間で用紙Ｐをニップするとともに、用紙Ｐの送り方向とは反対方向（図２を平面視して反時計回り）に回転して用紙Ｐを分離する分離ローラー１５を備えている。前述したように、スキャナー１はセンター給紙方式で給紙する構成であり、給送ローラー１４及び分離ローラー１５は、媒体搬送方向（＋Ｙ方向）と交差する媒体幅方向（Ｘ軸方向）において中央領域に設けられている。また、給送ローラー１４及び分離ローラー１５は、不図示の駆動源により駆動されている。
【００４１】
給送ローラー１４の下流側には、給送ローラー１４によって給送された用紙Ｐを搬送する第１搬送ローラー対１６と、第２搬送ローラー対１７と、が設けられている。  
第１搬送ローラー対１６と第２搬送ローラー対１７との間に、画像読取部１０が設けられている。
【００４２】
図２において、媒体載置部１１に載置された用紙Ｐは、下部ユニット３に対して回転可能に設けられた給送ローラー１４によりピックアップされて下流側（＋Ｙ方向側）に給送される。具体的には、用紙Ｐの媒体載置部１１に対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００４３】
第１搬送ローラー対１６は、画像読取部１０の上流側に設けられ、給送ローラー１４によって給送された用紙Ｐを画像読取部１０に向けて搬送する。第１搬送ローラー対１６は、不図示の駆動源により駆動される第１駆動ローラー１６ａと、第１駆動ローラー１６ａの回転に従動回転する第１従動ローラー１６ｂと、を備えて構成されている。  
第１搬送ローラー対１６も、給送ローラー１４と同様に、前記媒体幅方向において中央領域に設けられている。
【００４４】
画像読取部１０は、下部ユニット３側に設けられた下側読取ユニット２０と、上部ユニット４側に設けられた上側読取ユニット３０と、によって構成されている。  
下側読取ユニット２０は、用紙Ｐの「第１面（下側を向く面、以下、裏面と言う場合がある）」を読み取り、上側読取ユニット３０は、用紙Ｐの「第１面」の反対面である「第２面（上側を向く面、以下、おもて面と言う場合がある）」を読み取る。
【００４５】
図３に示すように、下側読取ユニット２０は、光透過性を有し、搬送経路Ｓの一方側の経路面Ｓ１を形成する第１透過板２１を備えている。第１透過板２１と経路面Ｓ１は面一になっている。また、上側読取ユニット３０は、光透過性を有し、搬送経路Ｓにおいて第１透過板２１と対向する他方側の経路面Ｓ２を形成する第２透過板３１を備えている。第２透過板３１と経路面Ｓ２は面一になっている。
【００４６】
下側読取ユニット２０は、用紙Ｐの前記第１面の画像を読み取る第１読取部２２を備えている。上側読取ユニット３０は、用紙Ｐの前記第２面の画像を読み取る第２読取部３２を備えている。第１読取部２２と第２読取部３２の構成については、後で更に詳しく説明する。
【００４７】
用紙Ｐは、画像読取部１０において用紙Ｐの前記第１面及び前記第２面の少なくとも一方の面の画像を読み取られた後、画像読取部１０の下流側に位置する第２搬送ローラー対１７にニップされて、下部ユニット３の装置前面側に設けられた排出口１８から排出される。第２搬送ローラー対１７は、不図示の駆動源により駆動される第２駆動ローラー１７ａと、第２駆動ローラー１７ａの回転に従動回転する第２従動ローラー１７ｂと、を備えて構成されている。
【００４８】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された用紙Ｐを排紙トレイ５上に積載することができる。
【００４９】
尚、図２に示すように、給送ローラー１４の上流側であって媒体載置部１１による用紙の載置領域内には、媒体載置部１１に載置される用紙Ｐの有無を検出する第１検出部４０が設けられている。また、給送ローラー１４の下流側と、第１搬送ローラー対１６の下流側と、第２搬送ローラー対１７の下流側には、順に、第２検出部４１、第３検出部４２、及び第４検出部４３が設けられている。第２検出部４１、第３検出部４２、及び第４検出部４３によって、媒体給送方向における用紙Ｐの先端位置を検出することができる。  
本実施形態において、第１検出部４０、第２検出部４１、第３検出部４２、及び第４検出部４３は、前記幅方向の中央領域に設けられている。
【００５０】
第１検出部４０、第２検出部４１、第３検出部４２、及び第４検出部４３としては、光を発する発光部（図示省略）と、前記発光部から発せられた光の反射光を受光する受光部（図示省略）を備える光センサーを用いることができる。また、前記光センサーの他、超音波を発する発信部と、搬送される用紙を挟んで前記発信部と対向して設けられる受信部とを備える超音波式センサーを用いることも可能である。また、搬送される用紙の接触によって動かされる機械式レバーの変位を、光学式或いは電気接触式で検出するレバー式センサーを用いることもできる。
【００５１】
■■■画像読取部について■■■
以下において、画像読取部１０について説明する。画像読取部１０は、前述した様に、搬送経路Ｓの下側に配置される下側読取ユニット２０と、搬送経路Ｓの上側に配置される上側読取ユニット３０とを備えている（図２及び図３）。  
そして、図３に示すように、下側読取ユニット２０の第１透過板２１が搬送経路Ｓの一方側の経路面Ｓ１を形成し、上側読取ユニット３０の第２透過板３１が、搬送経路Ｓにおいて第１透過板２１と対向する他方側の経路面Ｓ２を形成している。  
第１透過板２１及び第２透過板３１は、無色透明のガラスや、無色透明のアクリル板等の樹脂板により形成することができる。
【００５２】
図４に示す下側読取ユニット２０には、第１読取部２２が設けられている。第１読取部２２は、搬送経路Ｓの第１読取領域Ａ１に向けて媒体搬送方向上流側から光を照射する第１上流側光源２３と、第１読取領域Ａ１に向けて媒体搬送方向下流側から光を照射する第１下流側光源２４と、を有し、用紙Ｐの第１面（図４においてＰ１）の画像を、第１透過板２１を介して第１読取領域Ａ１で読み取る。
【００５３】
本実施形態において、第１読取部２２及び第２読取部３２は一例として密着型イメージセンサーモジュール（ＣＩＳＭ）として構成されている。  
第１読取部２２は、第１読取領域Ａ１と対向する位置に設けられる第１レンズ部２５と、第１センサー部２６と、を備えている。
【００５４】
また、同じく図４に示す上側読取ユニット３０には、第２読取部３２が設けられている。第２読取部３２は、図４に示すように、搬送経路Ｓの第２読取領域Ａ２に向けて媒体搬送方向上流側から光を照射する第２上流側光源３３と、第２読取領域Ａ２に向けて媒体搬送方向下流側から光を照射する第２下流側光源３４と、を有し、用紙Ｐの第２面（図４においてＰ２）の画像を、第２透過板３１を介して第２読取領域Ａ２で読み取る。  
第２読取部３２は、第２読取領域Ａ２と対向する位置に設けられる第２レンズ部３５と、第２センサー部３６と、を備えている。
【００５５】
また、図４に示す第１透過板２１において、搬送経路Ｓを形成する面の反対面には、媒体搬送方向において、第１上流側光源２３と第１下流側光源２４の光が通る領域と、第２読取部３２の第２読取領域Ａ２と重なる領域と、を避けた位置に遮光板２７が設けられており、第２読取部３２の第２読取領域Ａ２と重なる領域に基準板２８が設けられている。  
同様に、図４に示す第２透過板３１において、搬送経路Ｓを形成する面の反対面には、媒体搬送方向において、第２上流側光源３３と第２下流側光源３４の光が通る領域と、第１読取部２２の第１読取領域Ａ１と重なる領域と、を避けた位置に遮光板３７が設けられており、第１読取部２２の第１読取領域Ａ１と重なる領域に基準板３８が設けられている。  
基準板２８、基準板３８は白色であり、第２読取部３２及び第１読取部２２において、キャリブレーションを行う際の基準となる。
【００５６】
第１透過板２１及び第２透過板３１は、媒体搬送方向において、第１読取部２２と第２読取部３２の双方と重なる位置に設けられている。  
第１上流側光源２３、第１下流側光源２４、第２上流側光源３３、及び第２下流側光源３４から照射される光量は、装置本体２に設けられる制御部１９（図２及び図３）によって制御される。
【００５７】
ここで、図５に示すように、用紙Ｐの先端が第１読取領域Ａ１にあって第１読取部２２によって読み取られ、第２読取領域Ａ２には用紙Ｐが無い場合に、第２読取部３２に設けられる二つの光源のうち、第２下流側光源３４から出た光が第１読取領域Ａ１に到達することがある。例えば、第２下流側光源３４から照射される照射光Ｌ２−１が直接第１読取領域Ａ１に到達する。また、第２下流側光源３４からの照射光Ｌ２−２が第１透過板２１に反射して、反射光Ｒ２が第１読取領域Ａ１に到達する。尚、図５において、第２下流側光源３４以外の光源から出る光を示す矢印は省略している。  
第２下流側光源３４から出た光（照射光Ｌ２−１、反射光Ｒ２）が第１読取領域Ａ１に到達すると、第１読取領域Ａ１における光量が変わり、第１読取部２２による画像読み取りに影響を及ぼす虞がある。
【００５８】
この問題を回避するため、制御部１９は、図６に示すように、搬送される用紙Ｐの先端が第１読取部２２によって読み取られ、第２読取領域Ａ２には用紙Ｐが無い状態のときには、第２下流側光源３４から照射される光量を、第２読取部３２による読み取り時の光量よりも抑制する。尚、図６において、黒く塗り潰されている第２下流側光源３４は、光量が抑制された状態を示している。本実施形態においては、第２下流側光源３４は消灯されている。
【００５９】
より具体的には、図７に示すように、用紙Ｐの先端が、第２読取領域Ａ２よりも媒体搬送方向上流側において、第２下流側光源３４から出る光が第１読取領域Ａ１に入るのを遮ることができる第１位置Ｂ１を越えたら、第２下流側光源３４から照射される光量を第２読取部３２による読み取り時の光量にする。本実施形態においては、第２下流側光源３４を消灯した状態から点灯する。図７において、第２下流側光源３４以外の光源から出る光を示す矢印は省略している。  
本実施形態において、第１位置Ｂ１は、図７に示すように、用紙Ｐの先端が位置した場合に、用紙Ｐによって照射光Ｌ２−１と照射光Ｌ２−２との双方を遮ることができる位置である。  
用紙Ｐによって照射光Ｌ２−１が遮られると、照射光Ｌ２−１が直接第１読取領域Ａ１に入ることを抑制できる。また、用紙Ｐによって照射光Ｌ２−２が遮られると、照射光Ｌ２−２は第１透過板２１に反射しないので、反射光Ｒ２（図５）が第１読取領域Ａ１に入ることを抑制できる。
【００６０】
尚、例えば、第２下流側光源３４の光軸の角度によっては、例えば、第２下流側光源３４から出た光のうち、照射光Ｌ２−１は直接第１読取領域Ａ１に入る虞があるが、反射光は第１読取領域Ａ１に入らない場合がある。また、その逆の場合もある。そのような場合には、第１読取領域Ａ１に入る虞のある光のみを用紙が遮るように第１位置Ｂ１を設定することができる。
【００６１】
すなわち、制御部１９は、搬送される用紙Ｐの先端が、第２下流側光源３４から出る光が第１読取領域Ａ１に入るのを遮ることができる第１位置Ｂ１に搬送されるまで、第２下流側光源３４から照射される光量を、第２読取部３２による読み取り時の光量よりも抑制し、用紙Ｐの先端が第１位置Ｂ１を越えたら、第２下流側光源３４から照射される光量を第２読取部３２による読み取り時の光量にする制御を実行する。  
このことによって、第２下流側光源３４から出る光が、第１読取部２２による読み取りに影響する虞を低減できる。
【００６２】
ところで、通常、光源の光量を抑制して弱めた状態から光を強くすると、少しの間、光量が不安定になる場合がある。従来技術のように、第２読取部３２の光源すべて、すなわち、第２上流側光源３３と第２下流側光源３４の双方を消し、第２読取部３２による読み取りが始まる直前に第２上流側光源３３と第２下流側光源３４の双方を点灯すると、光を強くした直後に光量が不安定になる状態が、第２読取部３２による画像読み取りに大きく影響する虞がある。  
本実施形態では、第２読取部３２による読み取りが始まる直前に第２下流側光源３４を点灯することになるが、第２読取部３２の２つある光源（第２上流側光源３３と第２下流側光源３４）のうち、第１読取部２２側を向いており、第１読取部２２における読み取りに影響し易い第２下流側光源３４の光量のみを抑制するので、光を強くした直後に光量が不安定になる状態が、第２読取部３２による読み取り時に影響する虞を低減できる。
【００６３】
続いて、用紙Ｐの先端が第１位置Ｂ１を越えるとすぐに、用紙Ｐの先端が第２読取部３２の第２読取領域Ａ２に到達し、第２読取部３２による読み取りが開始される。用紙Ｐの読み取りが進み、図８に示すように、用紙Ｐの後端のみが第２読取部３２によって読み取られる状態になると、第１読取領域Ａ１には用紙Ｐが無くなる。このとき、第１読取部２２に設けられる二つの光源のうち、第１上流側光源２３から出る光が、第２読取領域Ａ２に到達することがある。例えば、図８に示すように、第１上流側光源２３から照射される照射光Ｌ１−１が、直接第２読取領域Ａ２に到達する。また、第１上流側光源２３から照射される照射光Ｌ１−２が、第２透過板３１に反射して、反射光Ｒ１が第２読取領域Ａ２に到達する。尚、図８及び図９において、第１上流側光源２３以外の光源から出る光を示す矢印の記載は省略している。  
第１上流側光源２３から出る光（照射光Ｌ１−１、反射光Ｒ１）が第２読取領域Ａ２に到達すると、第２読取領域Ａ２における光量が変わり、第２読取部３２による画像読み取りに影響を及ぼす虞がある。
【００６４】
この問題を回避するため、制御部１９は、第２読取領域Ａ２よりも媒体搬送方向上流側において、搬送される用紙Ｐの後端が、第１上流側光源２３から出る光が第２読取領域Ａ２に入るのを遮ることができる第２位置Ｂ２（図９）を越えたら、図１０に示すように、第１上流側光源２３から照射される光量を、第１読取部２２による読み取り時の光量よりも抑制する。
【００６５】
本実施形態において、第２位置Ｂ２は、図９に示すように、用紙Ｐの後端が位置した場合に、用紙Ｐによって照射光Ｌ１−１と照射光Ｌ１−２との双方を遮ることができる位置である。用紙Ｐによって照射光Ｌ１−１が遮られると、照射光Ｌ１−１が直接第２読取領域Ａ２に入ることを抑制できる。また、用紙Ｐによって照射光Ｌ１−２が遮られると、照射光Ｌ１−２は第２透過板３１に反射しないので、反射光Ｒ１（図８）が第２読取領域Ａ２に入ることを抑制できる。  
尚、例えば、第１上流側光源２３の光軸の角度によっては、例えば、第１上流側光源２３から出た光のうち、照射光Ｌ１−１は直接第２読取領域Ａ２に入る虞があるが、反射光は第２読取領域Ａ２に入らない場合がある。また、その逆の場合もある。そのような場合には、第２読取領域Ａ２に入る虞のある光のみを用紙が遮るように第２位置Ｂ２を設定することができる。  
また、図１０において、黒く塗り潰されている第１上流側光源２３は、光量が抑制された状態を示している。本実施形態においては、第１上流側光源２３は消灯されている。
【００６６】
このことによって、第１上流側光源２３から出る光が、第２読取部３２による画像読み取りに影響する虞を低減できる。  
尚、第２読取部３２による用紙Ｐの後端の読み取りの完了後、次に読み取られる用紙Ｐが第１読取部２２による読み取りが行われる第１読取領域Ａ１に搬送される前に、第１上流側光源２３は、第１読取領域Ａ１による読み取り時の光量にされる。
【００６７】
制御部１９が各光源の光量を抑制するタイミングを用紙Ｐの先端或いは後端の位置で判断するにあたり、用紙Ｐの先端の位置は、例えば、第１搬送ローラー対１６と画像読取部１０との間に設けられる第３検出部４２における用紙Ｐの先端の検出情報と、第１搬送ローラー対１６による搬送量によって得ることができる。  
また、用紙Ｐの後端の位置は、第３検出部４２における用紙Ｐの後端の検出情報と、第２搬送ローラー対１７による搬送量によって得ることができる。或いは、第２搬送ローラー対１７の下流側に設けられる第４検出部４３における用紙Ｐの先端の検出情報を基にして得ることも可能である。
【００６８】
［第２実施形態］
第２実施形態では、図１１〜図１６を参照して、本発明に係る画像読取装置の他の例について説明する。  
図１１は、第２実施形態に係る第１シャッター部及び第２シャッター部の解放状態を示す図である。図１２は、第２実施形態に係る第１シャッター部及び第２シャッター部の遮蔽状態を示す図である。図１３〜図１６は、制御部による第１シャッター部及び第２シャッター部の制御について説明する図である。  
尚、本実施形態以降の実施形態において、第１実施形態と同様の構成については同じ符号を付し、その説明を省略する。
【００６９】
第２実施形態においては、下側読取ユニット２０に、第１上流側光源２３から第１読取領域Ａ１に照射される光を遮蔽する遮蔽状態（図１２）と、第１上流側光源２３から照射される光が第１読取領域Ａ１に届く開放状態（図１１）と、を切り替え可能な第１シャッター部５１が設けられている。  
また、上側読取ユニット３０には、第２下流側光源３４から第２読取領域Ａ２に照射される光を遮蔽する遮蔽状態（図１２）と、第２下流側光源３４から照射される光が第２読取領域Ａ２に届く開放状態（図１１）と、を切り替え可能な第２シャッター部５２が設けられている。
【００７０】
第１シャッター部５１及び第２シャッター部５２は、例えば、モーター等の動力源からの動力を受けて、スライドして前記遮蔽状態と前記開放状態とを切り替えられる様に構成されている。  
第１シャッター部５１及び第２シャッター部５２の前記遮蔽状態と前記開放状態との切り替えは、制御部１９によって制御されて行われる。
【００７１】
本実施形態において、制御部１９は、図１３に示すように、第２読取領域Ａ２よりも媒体搬送方向上流側において、搬送される用紙Ｐの先端が、第２下流側光源３４から出る光が第１読取領域Ａ１に入るのを遮ることができる第１位置Ｂ１（図１４も参照）に搬送されるまで、第２シャッター部５２を前記遮蔽状態にして、図１４に示すように、用紙Ｐの先端が第１位置Ｂ１を越えたら、第２シャッター部５２を前記開放状態にする。
【００７２】
このことによって、用紙Ｐの先端が、媒体搬送方向における第１位置Ｂ１に至るまでに、第２下流側光源３４から出る光（直接第１読取領域Ａ１に入る照射光Ｌ２−１や、照射光Ｌ２−２が第１透過板２１に反射した反射光（図１４において不図示））が、第１読取部２２による読取に影響を与える虞を低減できる。尚、図１４において、第２下流側光源３４以外の光源から出る光を示す矢印の記載は省略している。  
また、本実施形態では、図１３に示すように、第２下流側光源３４の照射光Ｌ２を第２シャッター部５２によって遮るので、第２下流側光源３４の光量を抑制する必要がない。したがって、光量を抑制した状態から光量を増やした場合に、第２下流側光源３４の光量が安定しない状態になる虞がない。以って、第２読取部３２による安定した画像読み取りを実現できる。
【００７３】
更に、制御部１９は、図１５に示すように、第２読取領域Ａ２よりも媒体搬送方向上流側において、搬送される用紙Ｐの後端が、第１上流側光源２３から出る光が第２読取領域Ａ２に入るのを遮ることができる第２位置Ｂ２までは、第１シャッター部５１を前記開放状態にして、第２位置Ｂ２を越えたら、図１６に示すように、第１シャッター部５１を前記遮蔽状態にする。  
尚、図１５において、第１上流側光源２３以外の光源から出る光を示す矢印の記載は省略している。
【００７４】
このことによって、第１上流側光源２３から出る光（直接第２読取領域Ａ２に入る照射光Ｌ１−１や、照射光Ｌ１−２が第２透過板３１に反射した反射光（図１５において不図示））が、第２読取部３２による画像読み取りに影響を与える虞を低減できる。  
また、第１上流側光源２３の照射光Ｌ１を第１シャッター部５１によって遮るので、第１上流側光源２３の光量を抑制する必要がない。したがって、光量を抑制した状態から光量を増やした場合に、第１上流側光源２３の光量が安定しない状態になる虞がない。以って、第１読取部２２による安定した画像読み取りを実現できる。
【００７５】
［第３実施形態］
第３実施形態では、図１７〜図２０を参照して、本発明に係る画像読取装置の更に他の例について説明する。  
図１７は、第３実施形態に係るスキャナーにおける画像読取部周辺の概略側断面図である。図１８は、第３実施形態の変更例１について説明する図である。図１９は、第３実施形態の変更例２について説明する図である。図２０は、第３実施形態の変更例３について説明する図である。
【００７６】
第３実施形態は、第１透過板２１が、図１７に示すように、第２下流側光源３４から照射される照射光Ｌ２の反射を抑制する「第１反射抑制部」としての第１の継ぎ目６１を備え、第２透過板３１が、第１上流側光源２３から照射される照射光Ｌ１の反射を抑制する「第２反射抑制部」としての第２の継ぎ目６２を備える点が特徴である。
【００７７】
第１の継ぎ目６１は、第１透過板２１を、二枚の透過板２１ａ、２１ｂを媒体搬送方向に並べて繋いで形成した場合の継ぎ目である。また、第２の継ぎ目６２は、第２透過板３１を、二枚の透過板３１ａ、３１ｂを媒体搬送方向に並べて繋いで形成した場合の継ぎ目である。二枚の透過板の継ぎ目によって「第１反射抑制部」、「第２反射抑制部」を容易に形成できる。  
尚、二枚の透過板２１ａ、２１ｂまたは二枚の透過板３１ａ、３１ｂは、第１の継ぎ目６１または第２の継ぎ目６２において完全に接することなく、少し隙間を空けて配置されていてもよい。
【００７８】
第１透過板２１の第１の継ぎ目６１が、第２下流側光源３４から照射される照射光Ｌ２の反射光Ｒ２を遮り、反射光Ｒ２が第１読取部２２の第１読取領域Ａ１に到達するのを抑制するので、反射光Ｒ２が第１読取部２２の画像読み取りに影響する虞を低減できる。  
また、第２透過板３１の第２の継ぎ目６２が、第１上流側光源２３から照射される照射光Ｌ１の反射光Ｒ１を遮り、反射光Ｒ１が第２読取部３２の第２読取領域Ａ２に到達するのを抑制するので、反射光Ｒ１が第２読取部３２の画像読み取りに影響する虞を低減できる。
【００７９】
［第３実施形態の変更例１］
図１７において、第１の継ぎ目６１及び第２の継ぎ目６２には、光透過性を低減する塗料を塗布することができる。例えば、黒色塗料のような、濃色の塗料を塗布することができる。  
このことによって、第１の継ぎ目６１における反射光Ｒ２の抑制と、第２の継ぎ目６２における反射光Ｒ１の抑制と、をより確実に実現できる。  
また、第１の継ぎ目６１及び第２の継ぎ目６２をすりガラス状にする加工を施しても良い。
【００８０】
［第３実施形態の変更例２］
また、第１の継ぎ目６１及び第２の継ぎ目６２は、図１８のように、前記媒体搬送方向（＋Ｙ方向）と交差する幅方向（Ｘ軸方向）に沿って見た場合に、第１透過板２１或いは第２透過板３１の面に対して傾斜するように形成することもできる。  
このことにより、反射光Ｒ２を遮る第１の継ぎ目６１、及び反射光Ｒ１を遮る第２の継ぎ目６２の面積を広くとることができ、より確実に光の反射を抑制できる。  
尚、第１の継ぎ目６１及び第２の継ぎ目６２の傾斜は、図１８のように、媒体搬送方向に沿って上る傾斜とする場合の他、反対に、媒体搬送方向に沿って下る傾斜としてもよい。その場合、第１の継ぎ目６１は、第２下流側光源３４から照射される照射光Ｌ２を遮る位置に設け、第２の継ぎ目６２は、第１上流側光源２３から照射される照射光Ｌ１を遮る位置に設けることが望ましい。
【００８１】
［第３実施形態の変更例３］
また、図１９に示すように、第１の継ぎ目６１及び第２の継ぎ目６２には、それぞれ、光の透過を抑制する遮蔽板６３、６４を挟む構成とすることができる。遮蔽板６３、６４は、例えば、不透明、或いは光透過性の低い樹脂材料で形成することができる。  
このことにより、第１の継ぎ目６１及び第２の継ぎ目６２において、より確実に反射光を抑制できる。
【００８２】
［第３実施形態の変更例４］
また、図２０において、第１透過板２１を構成する透過板２１ａと透過板２１ｂは、異なる屈折率の透過板が用いられている。第２透過板３１を構成する二枚の透過板３１ａ、透過板３１ｂにも、それぞれ屈折率が異なる透過板が用いられている。  
すなわち、第１透過板２１または第２透過板３１を構成する二枚の透過板の屈折率が、それぞれ異なる。
【００８３】
このことによって、第１の継ぎ目６１及び第２の継ぎ目において、より確実に光の反射を抑制できる。  
尚、下側読取ユニット２０において第１読取部２２と対向する透過板２１ｂ（図１７も参照）と、上側読取ユニット３０において第２読取部３２と対向する透過板３１ｂの屈折率は、同じであることが望ましい。
【００８４】
［第４実施形態］
第４実施形態では、図２１を参照して、本発明に係る画像読取装置の更に他の例について説明する。図２１は、第４実施形態に係る画像読取部の第１透過板及び第２透過板の概略側面図である。
【００８５】
第４実施形態は、第３実施形態において説明した「第１反射抑制部」と「第２反射抑制部」が、第１透過板２１または第２透過板３１にレーザー彫刻により形成されている点が特徴である。  
図２１に示す第１反射抑制部７１及び第２反射抑制部７２は、レーザー彫刻（エッチング）により、第１透過板２１及び第２透過板３１が部分的に半透明な状態に形成されたものである。
【００８６】
図２１において、第１透過板２１に設けられる第１反射抑制部７１と、第２透過板３１に設けられる第２反射抑制部７２は、図１７に示す第３実施形態の第１透過板２１における継ぎ目６１と第２透過板３１における継ぎ目６２に対応する位置に設けられている。
【００８７】
第１反射抑制部７１及び第２反射抑制部７２を、第１透過板２１及び第２透過板３１にレーザー彫刻により形成することにより、透過板を二枚に分割することなく反射抑制部を形成できる。
【００８８】
［第１反射抑制部及び第２反射抑制部の他の例］
図２２は、第１透過板及び第２透過板の他の例について説明する図である。  
「第１反射抑制部」及び「第２反射抑制部」は、図２２に示すように、第１透過板２１及び第２透過板３１を分割せず、切り欠き７３、７４として形成することもできる。  
切り欠き７３、７４によって「第１反射抑制部」及び「第２反射抑制部」を形成することにより、透過板を二枚に分割することなく反射抑制部を形成できる。  
尚、切り欠きは、切り欠き７３のようにＶ字状に設ける場合の他、切り欠き７４のように、Ｉ字状のスリットとして設けることができる。切り欠いた部分は、例えば光の透過を抑制する樹脂材料等で埋めても良い。
【００８９】
また、一枚の透過板の屈折率を部分的に変化させることにより、「第１反射抑制部」及び「第２反射抑制部」を形成することもできる。例えば、透過板を部分的に加熱することにより、当該部分の屈折率を変化させることができる。  
この場合も、透過板を二枚に分割することなく反射抑制部を形成できる。
【００９０】
また、第１実施形態または第２実施形態の第１透過板２１及び第２透過板３１に、第３実施形態または第４実施形態の「第１反射抑制部」及び「第２反射抑制部」を設けることも可能である。
【００９１】
その他、本発明は上記実施形態に限定されることなく、特許請求の範囲に記載した発明の範囲内で種々の変形が可能であり、それらも本発明の範囲内に含まれるものであることは言うまでもない。  
【符号の説明】
【００９２】
１…スキャナー（画像読取装置）、２…装置本体、３…下部ユニット、４…上部ユニット、５…排紙トレイ、６…給送口、７…操作パネル、８…第１補助ペーパーサポート、９…第２補助ペーパーサポート、１０…画像読取部、１１…媒体載置部、１２…エッジガイド、１３…ガイド面、１４…給送ローラー、１５…分離ローラー、１６…第１搬送ローラー対、１６ａ…第１駆動ローラー、１６ｂ…第１従動ローラー、１７…第２搬送ローラー対、１７ａ…第２駆動ローラー、１７ｂ…第２従動ローラー、１８…排出口、１９…制御部、２０…下側読取ユニット、２１…第１透過板、２２…第１読取部、２３…第１上流側光源、２４…第１下流側光源、２５…第１レンズ部、２６…第１センサー部、２７…遮光板、３０…上側読取ユニット、３１…第２透過板、３２…第２読取部、３３…第２上流側光源、３４…第２下流側光源、３５…第２レンズ部、３６…第２センサー部、３７…遮光板、４０…第１検出部、４１…第２検出部、４２…第３検出部、４３…第４検出部、５１…第１シャッター部、５２…第２シャッター部、６１…第１の継ぎ目（第１反射抑制部）、６２…第２の継ぎ目（第２反射抑制部）、６３…遮蔽板、６４…遮蔽板、７１…、７２…、７３…切り欠き、７４…切り欠き、Ｐ…用紙（媒体）、Ｓ…搬送経路、Ａ１…第１読取領域、Ａ２…第２読取領域、Ｂ１…第１位置、Ｂ２…第２位置、Ｌ１、Ｌ２…光、Ｒ１、Ｒ２…反射光
【図１】
2019102859.tif 000003
【図２】
2019102859.tif 000004
【図３】
2019102859.tif 000005
【図４】
2019102859.tif 000006
【図５】
2019102859.tif 000007
【図６】
2019102859.tif 000008
【図７】
2019102859.tif 000009
【図８】
2019102859.tif 000010
【図９】
2019102859.tif 000011
【図１０】
2019102859.tif 000012
【図１１】
2019102859.tif 000013
【図１２】
2019102859.tif 000014
【図１３】
2019102859.tif 000015
【図１４】
2019102859.tif 000016
【図１５】
2019102859.tif 000017
【図１６】
2019102859.tif 000018
【図１７】
2019102859.tif 000019
【図１８】
2019102859.tif 000020
【図１９】
2019102859.tif 000021
【図２０】
2019102859.tif 000022
【図２１】
2019102859.tif 000023
【図２２】
2019102859.tif 000024